(57)【要約】【課題】いつどこでも、即座に体温を検知出来る耳式検温センサーを備えた携帯通信装置を提供すること。【解決手段】携帯通信装置に耳式検温センサーを設置すると共に、測定ボタンによって耳式検温センサーを起動させ、検温結果を直接携帯通信装置のディスプレイ上に表示する、上記構成部品の組合わせによって、本件の耳式検温センサーを備えた携帯通信装置を形成する。【選択図】図１
0003121537.tif 000002
【実用新案登録請求の範囲】
【請求項１】
耳式検温センサーを備えた携帯通信装置であって、
ディスプレイ及び押しボタンを備え、且つ適当な位置に測定装置を固定し、前記測定装置の端部を耳式検温センサーとし、人体の耳温度を検知でき、又携帯通信装置の適当な位置に測定ボタンを設置し、測定ボタンによって耳式検温センサーを起動させ、耳温度の検知を開始できるようにした携帯通信装置を含み、
耳温度を測定する時は、只携帯通信装置の測定装置をユーザーの耳穴の中に差し入れ、測定ボタンを押すと、測定装置の耳式検温センサーによってユーザーの耳温度を検知すると共に、測定後の耳温度を携帯通信装置のディスプレイに表示できることを特徴とする、
耳式検温センサーを備えた携帯通信装置。
【請求項２】
前記携帯通信装置は、携帯電話又はパーソナル・データ・アシスタント（PDA）であることを特徴とする、請求項１に記載の耳式検温センサーを備えた携帯通信装置。
【請求項３】
前記測定装置は、赤外線式、バイオ・チップ又はその他のセンサーであることを特徴とする、請求項１に記載の耳式検温センサーを備えた携帯通信装置。
【請求項４】
耳式検温センサーを備えた携帯通信装置であって、
ディスプレイ及び押しボタンを備え、前記携帯通信装置には固定アンテナを設置してよく、且つアンテナの端部に耳式検温センサーを結合することによって、人体の耳温度を検知し、又携帯通信装置の適当なところに、測定ボタンを設け、測定ボタンによって耳式検温センサーを起動させ、耳温の検知を開始できるようにした携帯通信装置を含み、
耳温度を測定する時は、只アンテナ端部の耳式検温センサーをユーザーの耳穴の中に差し入れ、測定ボタンを押すと、測定装置の耳式検温センサーによってユーザーの耳温度を検知すると共に、測定後の耳温度を携帯通信装置のディスプレイに表示できることを特徴とする、
耳式検温センサーを備えた携帯通信装置。
【請求項５】
前記携帯通信装置は、携帯電話又はパーソナル・データ・アシスタント（PDA）であることを特徴とする、請求項４に記載の耳式検温センサーを備えた携帯通信装置。
【請求項６】
耳式検温センサーを備えた携帯通信装置であって、
ディスプレイ及び押しボタンを備え、前記携帯通信装置側辺の適当なところにスライド溝及び開口を開設すると共に、相互連通し、且つスライド溝の中に耳式検温センサーを設置し、又前記耳式検温センサーの側辺にスライド溝の外に突き出て露出したプッシュボタンを凸出させるようにした携帯通信装置を含み、
耳温度を測定する時は、只プッシュボタンを開口のところへ押しやって、耳式検温センサーがスライド溝の中で伸縮動作を行うようにさせ、次に耳式検温センサーを開口外へ突き出して露出させ、且つ耳式検温センサーを耳穴の中へ差し入れて測定ボタンを押すと、直ちに人体の耳温度を検知すると共に、耳温度をディスプレイの上に表示できるようにしたことを特徴とする、
耳式検温センサーを備えた携帯通信装置。
【請求項７】
耳式検温センサーを備えた携帯通信装置であって、
ディスプレイ及び押しボタンを備え、前記携帯通信装置側辺の適当なところに差し込み穴を開設した携帯通信装置と、
一端を差し込みピンとして形成し、携帯通信装置の差込穴の中へ差し込むための耳式検温センサーと、を含み、
耳温度を測定する時は、耳式検温センサーを耳穴の中に差し入れ、測定ボタンを押すと、直ちに人体の耳温度を検知すると共に、耳温度をディスプレイ上に表示できることを特徴とする、耳式検温センサーを備えた携帯通信装置。
【請求項８】
耳式検温センサーを備えた携帯通信装置であって、
ディスプレイ及び押しボタンを備え、前記携帯通信装置側辺の適当なところに凹溝を開設すると共に、前記凹溝の中に耳式検温センサーを枢接した携帯通信装置、を含み、
耳温度を測定する時は、先ず耳式検温センサーを回転して凹溝の外へ向かって捲り上げ、次に耳式検温センサーを耳穴の中へ差し入れて、測定ボタンを押すと、直ちに人体の耳温度を検知すると共に、耳温度をディスプレイ上に表示できることを特徴とする、
耳式検温センサーを備えた携帯通信装置。
【請求項９】
耳式検温センサーを備えた携帯通信装置であって、
ディスプレイ及び押しボタンを備え、前記携帯通信装置の内蔵ボタンに無線伝送の機能を備えた携帯通信装置と、
端部に耳式検温センサーを結合し、同様に無線伝送の機能を備えた検知ペンと、を含み、
耳温度を測定する時は、只耳式検温センサーを耳穴の中へ差し入れて測定ボタンを押すと、前記耳式検温センサーは無線伝送の方式で、測定した耳式検温信号を携帯通信装置へ無線伝送し、前記携帯通信装置は接収した信号をディスプレイ上に表示することを特徴とする、
耳式検温センサーを備えた携帯通信装置。
【請求項１０】
耳式検温センサーを備えた携帯通信装置であって、
ディスプレイ及び押しボタンを備え、前記携帯通信装置の上に耳式検温センサーを凸設することによって、人体の耳温度を検知し、又前記携帯通信装置の適当なところに、測定ボタンを設け、この測定ボタンによって耳式検温センサーを起動させ、耳温の検知を開始できるようにした携帯通信装置、を含み、
耳温度を測定する時は、只耳式検温センサーを耳穴の中へ差し入れて測定ボタンを押すと、前記耳式検温センサーによってユーザーの耳温度を検知すると共に、測定後の耳温度を携帯通信装置のディスプレイ上に表示できることを特徴とする、
耳式検温センサーを備えた携帯通信装置。
【考案の詳細な説明】
【技術分野】
【０００１】
本考案は、耳式検温センサーを備えた携帯通信装置に関し、特に温度計又は耳式検温ガンに備わる耳温度を検知する機能を、携帯通信装置と結合して使用することによって、即座に耳温度を検知できる耳式検温センサーを備えた携帯通信装置に関するものである。
【背景技術】
【０００２】
現今の鳥インフェルエンザの疫病発生情況に絶えず赤信号が出ている中で、つい何年か前に台湾を直撃したサーズ（ＳＡＲＳ）を思い出すが、台大病院の感染科専門医師の話では、鳥インフェルエンザの伝染力はＳＡＲＳより強く、致死率も十倍近い。しかし、国立衛生院の臨床研究チームによると、鳥インフェルエンザの致死率は次第に下がりつつある。しかしこれはいい消息ではない、なぜなら、これはウイルスが患者の体内に存在し、即ち大規模伝染が始まることを意味するからである。台湾でＳＡＲＳ疫病が爆発し、八十四の人命が奪われ、その死亡率は一割に近く、人々は日夜不安に怯えている。しかも今回の鳥インフェルエンザは更に勢いが激しく、鳥インフェルエンザは一層得体の知れないものに見え、症状がまだ出現しない内から、既に相当影響のある感染力を持っている、ＳＡＲＳや鳥インフェルエンザは、何れも飛沫伝染又は近距離接触によるもので、両者は伝染ルートが類似しているのみならず、初期の発熱・セキ・肺炎及び呼吸器の衰弱などもかなり類似しており、診断が非常に難しく、救助の機先を失い易い。又、鳥インフェルエンザは、一旦人から人へ伝染すると、一から十、十から百へと、高倍数で拡散する、衛生署及び医学界でも、東南アジア疫病地区へ行ったことのある民衆は特別用心し、鳥インフェルエンザのウイルスを国内に持ち帰らないよう、強く呼びかけている。
【０００３】
従って、主要条件としては、万一発熱情況がある場合、温度計又は耳検温ガンで体温を検知し、発熱しているかどうかをチェックすることが出来るが、いつどこでも温度センサー道具を携帯するわけに行かないので、即座に体温を測ることが出来ない。これに鑑み、本案の出願人は、体温検知の機能を携帯通信装置と結合させ、いつどこでも直ちに体温検査を行う効果を達成できるようにした。
【０００４】
尚、本案の出願人は、既に中華民国（台湾）において、数多くの関連特許案件を申請している。例えば、
１．中華民国（台湾）公告第0045402号の「携帯電話に結合された生理機能の検知装置」、２．中華民国（台湾）公告第00462000号の「生命検知計器及びPDAを連結する伝送インターフェース装置」、
３．中華民国（台湾）公告第200412777号の「携帯電話に連結した人体機能の信号処理装置」、
４．中華民国（台湾）公告第Ｍ241002号の「イヤホン式生命機能検知装置」、
５．中華民国（台湾）公告第200422910号の「生命情報の無線伝送システム」等である。
【０００５】
上述した従来方式には尚幾多の改善すべきところがあり、ヒューマン化・便利性・親近性を促進すべきである。
本案の出願人は、上述した従来方式に派生する各項の不足に鑑み、極力新規改善を試み、且つ永年苦心研鑽の末、ついに本件耳式検温センサーを備えた携帯通信装置の研究開発に成功した。
【考案の開示】
【考案が解決しようとする課題】
【０００６】
本考案の目的は、温度計又は耳式検温ガンに備わる耳温度検知の機能を、携帯通信装置と結合して使用し、即座に耳温度測定目的を達成できる耳式検温センサーを備えた携帯通信装置を提供することにある。
【課題を解決するための手段】
【０００７】
上述した目的を達成できる耳式検温センサーを備えた携帯通信装置は、携帯通信装置と、耳式検温センサーなどにより構成される、前記携帯通信装置の上に耳式検温センサーを設置するわけであるが、耳式検温センサーを携帯通信装置に設置する形式は色々有る、例えば、固定式・伸縮式・端子差込ピン式・回転捲り式・検知ペン無線伝送式など、何れも適用できる。
又、携帯通信装置の適当な位置に測定ボタンを設け、或いは直接携帯通信装置のプッシュ・ボタンを応用して、ユーザーは測定ボタンによって温度センサーを起動して耳温度の測定を開始でき、且つ測定した耳温度を、直接携帯通信装置のディスプレイに表示し、はっきりと耳温度を知ることが出来る。
上述各構成部品の組合わせによって、本件の耳式検温センサーを備えた携帯通信装置を形成し、ユーザーは携帯通信装置に備わる耳温度の測定特性によって、如何なる制限も受けず、直ちに耳温度を検知して、熱があるかどうかを確認すると共に、携帯通信装置によって表示・警告・保存及びメッセージ伝送の作用を達成することが出来る。
【０００８】
すなわち、本願の第１考案は、耳式検温センサーを備えた携帯通信装置であって、ディスプレイ及び押しボタンを備え、且つ適当な位置に測定装置を固定し、前記測定装置の端部を耳式検温センサーとし、人体の耳温度を検知でき、又携帯通信装置の適当な位置に測定ボタンを設置し、測定ボタンによって耳式検温センサーを起動させ、耳温度の検知を開始できるようにした携帯通信装置を含み、耳温度を測定する時は、只携帯通信装置の測定装置をユーザーの耳穴の中に差し入れ、測定ボタンを押すと、測定装置の耳式検温センサーによってユーザーの耳温度を検知すると共に、測定後の耳温度を携帯通信装置のディスプレイに表示できることを特徴とする、耳式検温センサーを備えた携帯通信装置を提供する。
本願の第２考案は、前記携帯通信装置は、携帯電話又はパーソナル・データ・アシスタント（ＰＤＡ）であることを特徴とする、前記第１考案に記載の耳式検温センサーを備えた携帯通信装置を提供する。
本願の第３考案は、前記測定装置は、赤外線式、バイオ・チップ又はその他のセンサーであることを特徴とする、前記第１考案に記載の耳式検温センサーを備えた携帯通信装置を提供する。
本願の第４考案は、耳式検温センサーを備えた携帯通信装置であって、ディスプレイ及び押しボタンを備え、前記携帯通信装置には固定アンテナを設置してよく、且つアンテナの端部に耳式検温センサーを結合することによって、人体の耳温度を検知し、又携帯通信装置の適当なところに、測定ボタンを設け、測定ボタンによって耳式検温センサーを起動させ、耳温の検知を開始できるようにした携帯通信装置を含み、耳温度を測定する時は、只アンテナ端部の耳式検温センサーをユーザーの耳穴の中に差し入れ、測定ボタンを押すと、測定装置の耳式検温センサーによってユーザーの耳温度を検知すると共に、測定後の耳温度を携帯通信装置のディスプレイに表示できることを特徴とする、耳式検温センサーを備えた携帯通信装置を提供する。
本願の第５考案は、前記携帯通信装置は、携帯電話又はパーソナル・データ・アシスタント（PDA）であることを特徴とする、前記第４考案に記載の耳式検温センサーを備えた携帯通信装置を提供する。
本願の第６考案は、耳式検温センサーを備えた携帯通信装置であって、ディスプレイ及び押しボタンを備え、前記携帯通信装置側辺の適当なところにスライド溝及び開口を開設すると共に、相互連通し、且つスライド溝の中に耳式検温センサーを設置し、又前記耳式検温センサーの側辺にスライド溝の外に突き出て露出したプッシュボタンを凸出させるようにした携帯通信装置を含み、耳温度を測定する時は、只プッシュボタンを開口のところへ押しやって、耳式検温センサーがスライド溝の中で伸縮動作を行うようにさせ、次に耳式検温センサーを開口外へ突き出して露出させ、且つ耳式検温センサーを耳穴の中へ差し入れて測定ボタンを押すと、直ちに人体の耳温度を検知すると共に、耳温度をディスプレイの上に表示できるようにしたことを特徴とする、耳式検温センサーを備えた携帯通信装置を提供する。
本願の第７考案は、耳式検温センサーを備えた携帯通信装置であって、ディスプレイ及び押しボタンを備え、前記携帯通信装置側辺の適当なところに差し込み穴を開設した携帯通信装置と、一端を差し込みピンとして形成し、携帯通信装置の差込穴の中へ差し込むための耳式検温センサーと、を含み、耳温度を測定する時は、耳式検温センサーを耳穴の中に差し入れ、測定ボタンを押すと、直ちに人体の耳温度を検知すると共に、耳温度をディスプレイ上に表示できることを特徴とする、耳式検温センサーを備えた携帯通信装置を提供する。
本願の第８考案は、耳式検温センサーを備えた携帯通信装置であって、ディスプレイ及び押しボタンを備え、前記携帯通信装置側辺の適当なところに凹溝を開設すると共に、前記凹溝の中に耳式検温センサーを枢接した携帯通信装置、を含み、耳温度を測定する時は、先ず耳式検温センサーを回転して凹溝の外へ向かって捲り上げ、次に耳式検温センサーを耳穴の中へ差し入れて、測定ボタンを押すと、直ちに人体の耳温度を検知すると共に、耳温度をディスプレイ上に表示できることを特徴とする、耳式検温センサーを備えた携帯通信装置を提供する。
本願の第９考案は、耳式検温センサーを備えた携帯通信装置であって、ディスプレイ及び押しボタンを備え、前記携帯通信装置の内蔵ボタンに無線伝送の機能を備えた携帯通信装置と、端部に耳式検温センサーを結合し、同様に無線伝送の機能を備えた検知ペンと、を含み、耳温度を測定する時は、只耳式検温センサーを耳穴の中へ差し入れて測定ボタンを押すと、前記耳式検温センサーは無線伝送の方式で、測定した耳式検温信号を携帯通信装置へ無線伝送し、前記携帯通信装置は接収した信号をディスプレイ上に表示することを特徴とする、耳式検温センサーを備えた携帯通信装置を提供する。
本願の第１０考案は、耳式検温センサーを備えた携帯通信装置であって、ディスプレイ及び押しボタンを備え、前記携帯通信装置の上に耳式検温センサーを凸設することによって、人体の耳温度を検知し、又前記携帯通信装置の適当なところに、測定ボタンを設け、この測定ボタンによって耳式検温センサーを起動させ、耳温の検知を開始できるようにした携帯通信装置、を含み、耳温度を測定する時は、只耳式検温センサーを耳穴の中へ差し入れて測定ボタンを押すと、前記耳式検温センサーによってユーザーの耳温度を検知すると共に、測定後の耳温度を携帯通信装置のディスプレイ上に表示できることを特徴とする、耳式検温センサーを備えた携帯通信装置を提供する。
【考案の効果】
【０００９】
本考案に係る耳式検温センサーを備えた携帯通信装置は、その他従来の技術に比べ、下記のような長所がある。
（１）本考案は、温度計又は耳式検温ガンに備わる耳式検温機能を、携帯通信装置の上に結合し、且つ耳式検温センサーをユーザーの耳穴の中へ差し込むことによって、直ちに人体の耳温度を検知し、基本的に耳温度を測定する形式の制限を受けなくて済む。
（２）本考案において、前記耳式検温センサーを携帯通信装置に設置する形式は、色々あり、例えば、固定式・伸縮式・端子差込ピン式・回転捲り式・検知ペン無線伝送式など、全て適用でき、ユーザーは個人のニーズに従って、適当な形式のものを購入することが出来る。
【考案を実施するための最良の形態】
【００１０】
図１は、本考案に係る耳式検温センサーを備えた携帯通信装置であり、主として、携帯通信装置１と、前記携帯通信装置１に備えられたディスプレイ１１及びプッシュボタン１２と、前記携帯通信装置１の適当なところに固定された測定装置１３と、前記測定装置１３の端部にあり、人体の耳温度を測定できる耳式検温センサー１３１と、前記携帯通信装置１の適当なところに設置された測定ボタン１４と、を含み、
前記測定ボタン１４によって耳式検温センサー１３１を起動し、耳温度の測定を開始できる。
前記携帯通信装置１は、携帯電話或いはパーソナル・データ・アシスタント（PDA）であって良い、前記測定装置１３は、赤外線式、バイオ・チップ又はその他の感知装置であって良い、前記測定ボタン１４は、設置しなくても良く、直接携帯通信装置１の任意のプッシュボタン１２で代替しても良い、
【００１１】
上述した各構成部品の組合わせによって、本件の耳式検温センサーを備えた携帯通信装置を形成する。
本考案者は、現今の殆ど誰でも持っている携帯通信装置１の特性を利用して、耳式検温センサー１３１を携帯通信装置１に応用し、ユーザーが即座に耳温度を測定できるようにした。
尚、図２に示すように、ユーザーは携帯通信装置１の測定装置１３を耳穴２の中へ差し入れ、且つ耳式検温センサー１３１を完全に入り込ませるだけで良い。
この場合、測定ボタン１４を押すと、測定装置１３の耳式検温センサー１３１によってユーザーの耳温度を測定でき、且つ測定後の耳温度を携帯通信装置１のディスプレイ１１に表示し、ユーザーは直接ディスプレイ１１から測定後の耳温度を知ることが出来、如何なる道具の制限も受けないで、直ちに人体の耳温度を検知し、熱があるかどうかを確認すことが出来ると共に、表示・警告・保存及びメッセージ伝送の作用を達成することが出来る。
【００１２】
図３Ａ，３Ｂは、前記耳式検温センサーを備えた携帯通信装置のもう一つの実施例図であり、主として、携帯通信装置３側辺の適当なところにスライド溝３１及び開口３２を開設すると共に連通させ、前記スライド溝３１の中には耳式検温センサー３３を設け、且つ耳式検温センサー３３の側辺にスライド溝３１から露出したプッシュボタン３３１を突き出させ、ユーザーが耳温度を測定する時は、プッシュボタン３３１を開口の方向へ移動させ、耳式検温センサー３３を開口３２から突き出して露出させ、更に耳式検温センサー３３を耳穴２の中へ差し入れ、且つ測定ボタン又はプッシュボタンを押すだけで、直ちに人体の耳温度を検知すると共に、ディスプレイの上に耳温度を表示することが出来る。
【００１３】
図４Ａ,４Ｂは、前記耳式検温センサーを備えた携帯通信装置のもう一つ別の実施例図であり、主として、携帯通信装置４側辺の適当なところに差し込み穴４１を開設し、又、耳式検温センサー４２の一端を差し込みピン４２１として、携帯通信装置４の差し込み穴４２の中に入れ、同様に測定ボタン又はプッシュボタンを押すと、直ちに人体の耳温度を検知すると共に、耳温度をディスプレイ１１の上に表示することが出来る。
【００１４】
図５Ａ，５Ｂは、前記耳式検温センサーを備えた携帯通信装置の又もう一つ別の実施例図であり、主として、携帯通信装置５側辺の適当なところに凹溝５１を開設すると共に、凹溝５１の中に耳式検温センサー５２を枢接する、測定する場合は、只耳式検温センサー５２を外側へ捲り開け、同様に測定ボタン又はプッシュボタンを押すと、直ちに人体の耳温度を検知すると共に、耳温度をディスプレイ１１の上に表示することが出来る、測定しない時は、只耳式検温センサー５２を閉じて凹溝５１の中に収納するだけでよく、使用・収納の操作共、かなり便利である。
【００１５】
図６は、前記耳式検温センサーを備えた携帯通信装置の更に又もう一つ別の実施例図であり、主として、携帯通信装置６の内蔵ボタンには無線伝送の機能があり、又、検知ペン６１の端部に耳式検温センサー６１１を結合し、これも同様に無線伝送の機能がる、ユーザーが測定ボタン又はプッシュボタンを押すと、前記耳式検温センサー６１１が無線伝送の方式で、測定した耳温度信号を携帯通信装置６のレシーバへ無線伝送し、前記携帯通信装置６は直ちに前記接収した信号をディスプレイの上に表示する。
【００１６】
図７は、前記耳式検温センサーを備えた携帯通信装置の他の実施例図であり、主として、携帯通信装置７側辺の適当なところに、耳式検温センサー７１を凸設し、測定する時は、只耳式検温センサー７１を耳穴の中へ差し込み、測定ボタンまたはプッシュボタンを押すと、直ちに人体の耳温度を検知すると共に、耳温度をディスプレイの上に表示することが出来る。
【００１７】
上記した説明は、本考案の実施可能な一実施例の具体的説明であって、本考案の請求範囲を制限するものではなく、凡そ本考案の技芸精神を逸脱せずなされる等価の実施又は変更は、全て本考案に含まれるものとする。
【図面の簡単な説明】
【００１８】
【図１】本考案に係る耳式検温センサーを備えた携帯通信装置の斜視略図である。
【図２】前記耳式検温センサーを備えた携帯通信装置の実施略図である。
【図３Ａ】前記耳式検温センサーを備えた携帯通信装置のもう一つの実施略図である。
【図３Ｂ】前記耳式検温センサーを備えた携帯通信装置のもう一つの実施略図である。
【図４Ａ】前記耳式検温センサーを備えた携帯通信装置のもう一つ別の実施略図である。
【図４Ｂ】前記耳式検温センサーを備えた携帯通信装置のもう一つ別の実施略図である。
【図５Ａ】前記耳式検温センサーを備えた携帯通信装置の又もう一つ別の実施略図である。
【図５Ｂ】前記耳式検温センサーを備えた携帯通信装置の又もう一つ別の実施略図である。
【図６】前記耳式検温センサーを備えた携帯通信装置の更に別の実施略図である。
【図７】前記耳式検温センサーを備えた携帯通信装置の更に又別の実施略図である。
【符号の説明】
【００１９】
１・・・・・・携帯通信装置
１１・・・・・ディスプレイ
１２・・・・・プッシュ・ボタン
１３・・・・・測定装置
１３１・・・・耳式検温センサー
１４・・・・・測定ボタン
２・・・・・・耳穴
３・・・・・・携帯通信装置
３１・・・・・スライド溝
３２・・・・・開口
３３・・・・・耳式検温センサー
３３１・・・・スライド・ボタン
４・・・・・・携帯通信装置
４１・・・・・差込穴
４２・・・・・耳式検温センサー
４２１・・・・差込ピン
５・・・・・・携帯通信装置
５１・・・・・凹溝
５２・・・・・耳式検温センサー
６・・・・・・携帯通信装置
６１・・・・・検知ペン
６１１・・・・耳式検温センサー
７・・・・・・携帯通信装置
７１・・・・・耳式検温センサー
【図１】
0003121537.tif 000003
【図２】
0003121537.tif 000004
【図３Ａ】
0003121537.tif 000005
【図３Ｂ】
0003121537.tif 000006
【図４Ａ】
0003121537.tif 000007
【図４Ｂ】
0003121537.tif 000008
【図５Ａ】
0003121537.tif 000009
【図５Ｂ】
0003121537.tif 000010
【図６】
0003121537.tif 000011
【図７】
0003121537.tif 000012